(57)【要約】【課題】緊急警報放送検知の仕組み及びユーザーへの通知の仕組みがない場合であっても、ユーザーにタイムリーに緊急警報放送を報知することが可能な緊急警報放送対応モジュールを搭載したデジタル放送受信機を提供する。【解決手段】映像出力機能及び音声出力機能を備えないデジタル放送受信機であって、受信したデジタル放送信号からトランスポートストリームを生成して出力するフロントエンド部と、スクランブルされたトランスポートストリームをデスクランブルする限定受信モジュールとを備え、限定受信モジュールは、トランスポートストリームから緊急警報放送信号を検知する緊急警報放送検知部と、緊急警報放送検知部が緊急警報放送信号を検知した場合に緊急警報放送信号に対応する音声信号を出力する音声出力部と、を具備する。【選択図】図１
2014187457.tif 000002
【特許請求の範囲】
【請求項１】
トランスポートストリームから緊急警報放送信号を検知する緊急警報放送検知部と、
前記緊急警報放送検知部が前記緊急警報放送信号を検知した場合に、前記緊急警報放送信号に対応する音声信号を出力する音声出力部と、
を具備することを特徴とする緊急警報放送対応モジュール。
【請求項２】
電力を蓄積するバッテリー部と、
バッテリー供給要求に応じて、前記バッテリー部に蓄積された前記電力を外部機器に供給するバッテリー制御部と、を更に備え、
前記緊急警報放送検知部は、前記緊急警報放送信号を検知したときに、前記バッテリー制御部に対して前記バッテリー供給要求を出力する、ことを特徴とする請求項１に記載の緊急警報放送対応モジュール。
【請求項３】
緊急警報放送用のＡＶデータを格納するメモリー部と、
緊急警報情報出力要求に応じて、前記メモリー部に格納された前記ＡＶデータを外部機器に供給するメモリー制御部と、を更に備え、
前記緊急警報放送検知部は、前記緊急警報放送信号を検知したときに、前記メモリー制御部に対して前記緊急警報情報出力要求を出力する、ことを特徴とする請求項１に記載の緊急警報放送対応モジュール。
【請求項４】
映像出力機能及び音声出力機能を備えないデジタル放送受信機であって、
受信したデジタル放送信号からトランスポートストリームを生成して出力するフロントエンド部と、
スクランブルされた前記トランスポートストリームをデスクランブルする限定受信モジュールと、を備え、
前記限定受信モジュールは、
前記トランスポートストリームから緊急警報放送信号を検知する緊急警報放送検知部と、
前記緊急警報放送検知部が前記緊急警報放送信号を検知した場合に、前記緊急警報放送信号に対応する音声信号を出力する音声出力部と、
を具備することを特徴とするデジタル放送受信機。
【請求項５】
前記デジタル放送受信機は、前記トランスポートストリームをデコードするデコード部を更に備え、
前記限定受信モジュールは、
電力を蓄積するバッテリー部と、
バッテリー供給要求に応じて、前記バッテリー部に蓄積された前記電力を外部機器に供給するバッテリー制御部と、を更に備え、
前記緊急警報放送検知部は、前記緊急警報放送信号を検知したときに、前記バッテリー制御部に対して前記バッテリー供給要求を出力するとともに、前記デコード部に前記緊急警報放送信号に対応するトランスポートストリームをデコードして前記外部機器に出力させる、ことを特徴とする請求項４に記載のデジタル放送受信機。
【請求項６】
前記デジタル放送受信機は、ＡＶデータをデコードするデコード部を更に備え、
前記限定受信モジュールは、
緊急警報放送用の前記ＡＶデータを格納するメモリー部と、
緊急警報情報出力要求に応じて、前記メモリー部に格納された前記ＡＶデータを外部機器に供給するメモリー制御部と、を更に備え、
前記緊急警報放送検知部は、前記緊急警報放送信号を検知したときに、前記メモリー制御部に対して前記緊急警報情報出力要求を出力するとともに、前記デコード部に前記ＡＶデータをデコードして前記外部機器に出力させる、ことを特徴とする請求項４に記載のデジタル放送受信機。
【発明の詳細な説明】
【技術分野】
【０００１】
本開示は、緊急警報放送対応モジュール及び緊急警報放送対応モジュールを搭載したデジタル放送受信機に関し、特に、緊急警報放送対応モジュール自体で緊急警報放送を検知可能な緊急警報放送対応モジュール及び緊急警報放送対応モジュールを搭載したデジタル放送受信機に関する。
【背景技術】
【０００２】
従来、デジタル放送では、緊急警報放送システムが定義されている。緊急警報放送システムは、大災害の発生などをいち早くユーザーに報知し、被害を最小限に食い止めることを目的につくられたものである。
【０００３】
日本では、緊急警報放送システム（Ｅｍｅｒｇｅｎｃｙ  Ｗａｒｎｉｎｇ  Ｓｙｓｔｅｍ；ＥＷＳ）が、デジタル放送規格であるＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｓｉｎｅｓｓｉｅｓ）ＳＴＤ−Ｂ２１で規定されており、例えば、ユーザーに緊急警報放送を報知する仕組みが搭載されたＳＴＢ（Ｓｅｔ  Ｔｏｐ  Ｂｏｘ）を含むデジタル放送受信機では、緊急警報放送を検知して緊急警報放送をユーザーに報知している（例えば、特許文献１参照）。
【０００４】
また、米国ではケーブルテレビのデジタル化に伴い、緊急度によって緊急警報放送の重要度情報（ａｌｅｒｔ  ｐｒｉｏｒｉｔｙ）が送信され、重要度情報が「１５」である場合には、緊急警報放送が放送されているチャンネルへ強制的に変更することがケーブルテレビ規格（Ｅｍｅｒｇｅｎｃｙ  Ａｌｅｒｔ  Ｍｅｓｓａｇｅ  Ｆｏｒ  Ｃａｂｌｅ、Ｊ−ＳＴＤ−０４２−２００２）で規定されている。デジタル放送局に対する緊急警報放送システムの導入の義務化が２０１２年６月３０日に施行されており、デジタル放送受信機の対応についても、今後規定されていく見込みとなっている。
【０００５】
更に、近年、欧州だけでなく自然災害の多いアジアを中心にＤＶＢ（Ｄｉｇｉｔａｌ  Ｖｉｄｅｏ  Ｂｌｏａｄｃａｓｔｉｎｇ）方式が採用されており、ＳＴＢを含めたデジタル放送受信機に対して、緊急警報放送システムへの対応を義務化する動きが広まる傾向にある。
【先行技術文献】
【特許文献】
【０００６】
【特許文献１】特開２００５−０７９７５３号公報
【発明の概要】
【発明が解決しようとする課題】
【０００７】
ところで、ＳＴＢは通常、外付けの映像出力機能及び音声出力機能を備えたディスプレイと接続して使用されるため、緊急警報放送に使用する映像出力機能及び音声出力機能を備えないＳＴＢが多数存在する。そのため、緊急警報放送に使用する映像出力機能及び音声出力機能を備えないＳＴＢでは、外付けの映像出力機能及び音声出力機能を備えたディスプレイの電源がＯＦＦのときには、緊急警報放送をユーザーに報知することができないという問題があり、一刻を争う対応が必要とされる大地震、津波などの大災害が想定される事態では、深刻な被害をもたらしかねない。
【０００８】
本開示は、上記問題に鑑みてなされたものであり、緊急警報放送の報知に使用する映像出力機能及び音声出力機能を備えないＳＴＢを含むデジタル放送受信機においても、ユーザーに緊急警報放送を報知することが可能な緊急警報放送対応モジュールを搭載したデジタル放送受信機等を提供することを目的とする。
【課題を解決するための手段】
【０００９】
上記目的を達成するために、本開示における緊急警報放送対応モジュールの一形態は、トランスポートストリームから緊急警報放送信号を検知する緊急警報放送検知部と、緊急警報放送検知部が緊急警報放送信号を検知した場合に、緊急警報放送信号に対応する音声信号を出力する音声出力部と、を具備する。
【００１０】
また、電力を蓄積するバッテリー部と、バッテリー供給要求に応じて、バッテリー部に蓄積された電力を外部機器に供給するバッテリー制御部と、を更に備え、緊急警報放送検知部は、緊急警報放送信号を検知したときに、バッテリー制御部に対してバッテリー供給要求を出力する。
【００１１】
また、緊急警報放送用のＡＶデータを格納するメモリー部と、緊急警報情報出力要求に応じて、メモリー部に格納されたＡＶデータを外部機器に供給するメモリー制御部と、を更に備え、緊急警報放送検知部は、緊急警報放送信号を検知したときに、メモリー制御部に対して緊急警報情報出力要求を出力する。
【００１２】
なお、本開示は、デジタル放送受信機に搭載される限定受信モジュールとして実現したり、上記緊急警報放送対応モジュールでの手順をコンピュータに実行させるプログラムとして実現したり、そのようなプログラムを記録したＤＶＤ等のコンピュータ読み取り可能な記録媒体として実現したりすることもできる。
【発明の効果】
【００１３】
本開示における緊急警報放送対応モジュールを搭載したデジタル放送受信機等によれば、緊急警報放送検知の仕組み及びユーザーへの通知の仕組みがないデジタル放送受信機においても、ユーザーにタイムリーに緊急警報放送を報知することができる。
【図面の簡単な説明】
【００１４】
【図１】本発明の実施の形態１におけるデジタル放送受信機の構成の一例を示す図
【図２】同実施の形態におけるデジタル放送受信機の動作を示すフローチャート
【図３】本発明の実施の形態２におけるデジタル放送受信機の構成の一例を示す図
【図４】同実施の形態におけるデジタル放送受信機の動作を示すフローチャート
【図５】本発明の実施の形態３におけるデジタル放送受信機の構成の一例を示す図
【図６】同実施の形態におけるデジタル放送受信機の動作を示すフローチャート
【発明を実施するための形態】
【００１５】
以下、本開示の緊急警報放送対応モジュール及び緊急警報放送対応モジュールを搭載したデジタル放送受信機の実施の形態について、図面を参照しながら説明する。なお、各図は、模式図であり、必ずしも厳密に図示したものではない。
【００１６】
また、以下で説明する実施の形態は、本開示における緊急警報放送対応モジュール及び緊急警報放送対応モジュールを搭載したデジタル放送受信機の一具体例を示すものである。以下の実施の形態で示される数値、構成要素、構成要素の配置位置及び接続形態などは一例であり、本開示における緊急警報放送対応モジュール及び緊急警報放送対応モジュールを搭載したデジタル放送受信機を限定する主旨ではない。また、以下の実施の形態における構成要素のうち、独立請求項に記載されていない構成要素については、任意の構成要素として説明される。
【００１７】
本開示の実施の形態におけるデジタル放送受信機の構成を説明する前に、まず、緊急警報放送の送出方法について説明する。
【００１８】
日本のＡＲＩＢの規定では、ＭＰＥＧ（Ｍｏｖｉｎｇ  Ｐｉｃｔｕｒｅ  Ｅｘｐｅｒｔ  Ｇｒｏｕｐ）２Ｓｙｓｔｅｍｓ（ＩＳＯ／ＩＥＣ１３８１８−１）で定義されたＭＰＥＧ−ＴＳの、番組配列情報（ＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ））の構成要素である、ＰＭＴ（Ｐｒｏｇｒａｍ  Ｍａｐ  Ｔａｂｌｅ）に、任意に記載される緊急警報放送記述子で、緊急警報のレベルや緊急警報の対象地域などの、緊急警報放送の詳細内容が送出される。また、ＭＰＥＧ−ＴＳを構成するＴＳパケットを構成する、スロットに含まれるＴＭＣＣの所定の位置に、緊急警報放送起動用フラグが設けられている。ＡＲＩＢ規格に準拠したデジタル放送受信機では、この緊急警報放送記述子、または、緊急警報放送起動用フラグを参照することにより、緊急警報放送の有無を判断する。
【００１９】
米国のＥｍｅｒｇｅｎｃｙ  Ａｌｅｒｔ  Ｍｅｓｓａｇｅ  Ｆｏｒ  Ｃａｂｌｅの規定では、番組配列情報（ＰＳＩ／ＳＩ）の構成要素である、Ｅｍｅｒｇｅｎｃｙ  Ａｌｅｒｔ  Ｍｅｓｓａｇｅ  Ｆｏｒｍａｔというテーブルで、緊急警報放送の詳細内容が送られる。米国のケーブルテレビ規格に準拠したデジタル放送受信機では、このＥｍｅｒｔｇｅｎｃｙ  Ａｌｅｒｔ  Ｍｅｓｓａｇｅ  Ｆｏｒｍａｔを参照することにより、緊急警報放送の有無を判断する。
【００２０】
欧州、アジア等で採用されているＤＶＢの規定では、番組配列情報（ＰＳＩ／ＳＩ）の構成要素である、ＳＤＴ（Ｓｅｒｖｉｃｅ  Ｄｅｓｃｒｉｐｔｉｏｎ  Ｔａｂｌｅ）に、任意に記載されるＡｎｎｏｕｎｃｅｍｅｎｔ  Ｓｕｐｐｏｒｔ  ｄｅｓｃｒｉｐｔｏｒで、緊急警報放送に関する情報が送られる。ＤＶＢ規格に準拠したデジタル放送受信機では、このＡｎｎｏｕｎｃｅｍｅｎｔ  Ｓｕｐｐｏｒｔ  ｄｅｓｃｒｉｐｔｏｒを参照することにより、緊急警報放送の有無を判断する。
【００２１】
（実施の形態１）
［１−１．構成］
図１は、本開示の実施の形態１におけるデジタル放送受信機の構成の一例を示す図である。デジタル放送受信機１０は、映像出力機能及び音声出力機能を備えないデジタル放送受信機であって、フロントエンド部１２と、スクランブルされたトランスポートストリームをデスクランブルする限定受信モジュール１３が挿抜可能な状態で搭載されている。
【００２２】
フロントエンド部１２は、ビットストリームを復調するデジタル復調部とビット誤りを訂正する誤り訂正部に相当し、受信アンテナ１１が受信したデジタル放送信号に復調、誤り訂正等を施し、トランスポートストリームデータとして出力する。
【００２３】
限定受信モジュール１３は、従来のデスクランブル機能の他、緊急警報放送検知部１３ａと、音声出力部１３ｂを具備し、本開示の緊急警報放送対応モジュールとして機能する。限定受信モジュール１３は、日本ではＣＡＳ（Ｃｏｎｄｉｔｉｏｎａｌ  Ａｃｃｅｓｓ  Ｓｙｓｔｅｍｓ）カード用モジュール、米国ではＣａｂｌｅカード、欧州・アジア等ではＣＡＭ（Ｃｏｎｄｉｔｉｏｎａｌ  Ａｃｃｅｓｓ  Ｍｏｄｕｌｅ）に相当する。
【００２４】
緊急警報放送検知部１３ａは、フロントエンド部１２が出力したトランスポートストリームを入力し、放送規格毎に決められた所定情報を参照して緊急警報放送信号の有無を判断する。そして、緊急警報放送信号を検知した場合に、音声出力部１３ｂに緊急警報放送信号の内容または緊急警報放送ありを示す信号を出力する。
【００２５】
音声出力部１３ｂは、緊急警報放送検知部１３ａが出力した緊急警報放送信号の内容または緊急警報放送ありを示す信号を入力し、音声信号に変換して出力する。
［１−２．動作］
次に、以上のように構成された本実施の形態におけるデジタル放送受信機１０の動作について説明する。
【００２６】
図２は、本実施の形態におけるデジタル放送受信機１０の動作を示すフローチャートである。デジタル放送受信機１０は、受信アンテナ１１によってデジタル放送信号を受信し（ステップＳ１１）、フロントエンド部１２によって電波のビットストリームを復調してビット誤りを訂正し、ユーザーによって選択されたサービスを含むトランスポートストリームを限定受信モジュール１３へ出力する（ステップＳ１２）。限定受信モジュール１３の緊急警報放送検知部１３ａにおいて緊急警報放送信号が検知された場合には（ステップＳ１３で「ＹＥＳ」）、限定受信モジュール１３に備えられた音声出力部１３ｂから、緊急警報放送信号に対応する音声を出力する（ステップＳ１４）。一方、限定受信モジュール１３の緊急警報放送検知部１３ａにおいて緊急警報放送信号が検知されない場合には（ステップＳ１３で「ＮＯ」）、従来のデスクランブル処理を実行する。
【００２７】
［１−３．まとめ］
以上のように、本実施の形態における緊急警報放送対応モジュールを搭載したデジタル放送受信機は、デジタル放送信号中の緊急警報放送信号が含まれている場合に、緊急警報放送対応モジュール自体で緊急警報放送信号を検知し、緊急警報放送対応モジュール自体に具備されたスピーカ等の音声出力部から緊急警報放送を報知する。
【００２８】
これにより、緊急警報放送検知の仕組み及びユーザーへの通知の仕組みがないデジタル放送受信機においても、ユーザーにタイムリーに緊急警報放送を報知することができる。
【００２９】
（実施の形態２）
［２−１．構成］
図３は、本開示の実施の形態２におけるデジタル放送受信機の構成の一例を示す図である。デジタル放送受信機２０は、映像出力機能及び音声出力機能を備えないデジタル放送受信機であって、フロントエンド部１２と、限定受信モジュール２３と、ＴＳデコード部２４と、ＡＶデコード部２５と、電源制御部２６とを備え、デジタル放送受信機２０に接続されたモニタ等の外部映像出力部２７及び／またはスピーカ等の外部音声出力部２８へ緊急警報放送信号の内容を出力する。なお、図１の構成と同符号を付した構成は、同機能を有するため説明を省略する。
【００３０】
限定受信モジュール２３は、従来のデスクランブル機能の他、緊急警報放送検知部２３ａと、バッテリー制御部２３ｂと、バッテリー部２３ｃを具備し、本開示の緊急警報放送対応モジュールとして機能する。限定受信モジュール２３は、日本ではＣＡＳカード用モジュール、米国ではＣａｂｌｅカード、欧州・アジア等ではＣＡＭに相当する。
【００３１】
緊急警報放送検知部２３ａは、フロントエンド部１２が出力したトランスポートストリームを入力し、放送規格毎に決められた所定情報を参照して緊急警報放送信号の有無を判断する。そして、緊急警報放送信号を検知した場合に、バッテリー制御部２３ｂに対してバッテリー供給要求を出力するとともに、ＴＳデコード部２４に対して緊急警報放送信号デコード要求を出力する。
【００３２】
バッテリー制御部２３ｂは、緊急警報放送検知部２３ａからのバッテリー供給要求に応じて、バッテリー部２３ｃに蓄積された電力をＴＳデコード部２４、ＡＶデコード部２５、外部映像出力部２７、外部音声出力部２８へ供給する。
【００３３】
バッテリー部２３ｃは、電力を蓄積する。なお、電力は、電源制御部２６から供給されたものである。
【００３４】
ＴＳデコード部２４は、緊急警報放送検知部２３ａから入力されたトランスポートストリームからビデオ、オーディオなどのパケットを抽出し、抽出したビデオパケット、オーディオパケットをＡＶデコード部２５へ出力する。
【００３５】
ＡＶデコード部２５は、ＴＳデコード部２４から入力されたビデオパケット、オーディオパケットをそれぞれ復号して、映像信号を外部映像出力部２７へ出力し、音声信号を外部音声出力部２８へ出力する。
【００３６】
外部映像出力部２７は、デジタル放送受信機２０とは別体のモニタ等の表示装置である。外部音声出力部２８は、デジタル放送受信機２０とは別体のスピーカ等の音声出力装置である。なお、本実施の形態では、デジタル放送受信機２０をＳＴＢと設定しているため映像出力部である外部映像出力部２７及び音声出力部である外部音声出力部２８をデジタル放送受信機２０とは別体として説明しているが、デジタル放送受信機２０をテレビと設定し、デジタル放送受信機２０内部に映像出力部及び音声出力部を備えてもよい。
【００３７】
［２−２．動作］
次に、以上のように構成された本実施の形態におけるデジタル放送受信機２０の動作について説明する。
【００３８】
図４は、本実施の形態におけるデジタル放送受信機２０の動作を示すフローチャートである。図２に示すフローチャートと同符号を付したステップは同処理を行うため説明を省略する。
【００３９】
限定受信モジュール２３の緊急警報放送検知部２３ａにおいてトランスポートストリームから緊急警報放送信号が検知された場合には（ステップＳ１３で「ＹＥＳ」）、緊急警報放送検知部２３ａはバッテリー供給要求をバッテリー制御部２３ｂに出力し、バッテリー制御部２３ｂは、バッテリー部２３ｃに蓄積された電力を、ＴＳデコード部２４、ＡＶデコード部２５、外部映像出力部２７、外部音声出力部２８に供給する（ステップＳ４１）。ＴＳデコード部２４は、緊急警報放送検知部２３ａから入力されたトランスポートストリームからビデオ、オーディオなどのパケットを抽出し（ステップＳ４２）、ＡＶデコード部２５は、ＴＳデコード部２４で抽出されたビデオパケット、オーディオパケットをそれぞれ復号して、映像および音声を再生して（ステップＳ４３）、それぞれ外部映像出力部２７、外部音声出力部２８へ出力する（ステップＳ４４）。
【００４０】
［２−３．まとめ］
以上のように、本実施の形態における緊急警報放送対応モジュールを搭載したデジタル放送受信機は、デジタル放送信号中の緊急警報放送信号が含まれている場合に、緊急警報放送対応モジュール自体で緊急警報放送信号を検知し、緊急警報放送対応モジュール自体に具備されたバッテリーによって外部機器を起動させ、外部機器によって緊急警報放送を報知させる。
【００４１】
これにより、緊急警報放送検知の仕組み及びユーザーへの通知の仕組みがないデジタル放送受信機においても、ユーザーにタイムリーに緊急警報放送を報知することができる。
【００４２】
（実施の形態３）
［３−１．構成］
図５は、本開示の実施の形態３におけるデジタル放送受信機の構成の一例を示す図である。デジタル放送受信機３０は、映像出力機能及び音声出力機能を備えないデジタル放送受信機であって、フロントエンド部１２と、限定受信モジュール３３と、ＡＶデコード部３５と、電源制御部２６とを備え、デジタル放送受信機３０に接続されたモニタ等の外部映像出力部２７及び／またはスピーカ等の外部音声出力部２８へ緊急警報放送信号の内容を出力する。なお、図１または図３の構成と同符号を付した構成は、同機能を有するため説明を省略する。
【００４３】
限定受信モジュール３３は、従来のデスクランブル機能の他、緊急警報放送検知部３３ａと、バッテリー制御部３３ｂと、バッテリー部２３ｃと、メモリー制御部３３ｄと、メモリー部３３ｅを具備し、本開示の緊急警報放送対応モジュールとして機能する。限定受信モジュール３３は、日本ではＣＡＳカード用モジュール、米国ではＣａｂｌｅカード、欧州・アジア等ではＣＡＭに相当する。
【００４４】
緊急警報放送検知部３３ａは、フロントエンド部１２が出力したトランスポートストリームを入力し、放送規格毎に決められた所定情報を参照して緊急警報放送信号の有無を判断する。そして、緊急警報放送信号を検知した場合に、バッテリー制御部３３ｂに対してバッテリー供給要求を出力するとともに、メモリー制御部３３ｄに対して緊急警報情報出力要求を出力する。
【００４５】
バッテリー制御部３３ｂは、緊急警報放送検知部３３ａからのバッテリー供給要求に応じて、バッテリー部２３ｃに蓄積された電力をＡＶデコード部３５、外部映像出力部２７、外部音声出力部２８へ供給する。
【００４６】
メモリー制御部３３ｄは、緊急警報放送検知部３３ａからの緊急警報情報出力要求に応じて、メモリー部３３ｅに格納された緊急警報放送用のＡＶデータをＡＶデコード部３５に出力する。
【００４７】
メモリー部３３ｅは、あらかじめ緊急警報放送用のＡＶデータを格納する。ＡＶデータにおける映像データは、動画データであってもよいし、静止画データであってもよい。
【００４８】
ＡＶデコード部３５は、メモリー制御部３３ｄから入力されたＡＶデータをそれぞれ復号して、映像信号を外部映像出力部２７へ出力し、音声信号を外部音声出力部２８へ出力する。
【００４９】
［３−２．動作］
次に、以上のように構成された本実施の形態におけるデジタル放送受信機３０の動作について説明する。
【００５０】
図６は、本実施の形態におけるデジタル放送受信機３０の動作を示すフローチャートである。図２、図４に示すフローチャートと同符号を付したステップは同処理を行うため説明を省略する。
【００５１】
限定受信モジュール３３の緊急警報放送検知部３３ａにおいて緊急警報放送信号が検知された場合には（ステップＳ１３で「ＹＥＳ」）、緊急警報放送検知部３３ａはバッテリー供給要求をバッテリー制御部３３ｂに出力するとともに、緊急警報情報出力要求をメモリー制御部３３ｄに出力する。バッテリー制御部３３ｂは、バッテリー部２３ｃに蓄積された電力を、ＡＶデコード部３５、外部映像出力部２７、外部音声出力部２８に供給する（ステップＳ６１）。一方、メモリー制御部３３ｄは、メモリー部３３ｅに格納された緊急警報放送用のＡＶデータをＡＶデコード部３５に出力し（ステップＳ６２）、ＡＶデコード部３５は、ＡＶデータを復号して、映像および音声を再生して（ステップＳ６３）、それぞれ外部映像出力部２７、外部音声出力部２８へ出力する（ステップＳ４４）。
【００５２】
［３−３．まとめ］
以上のように、本実施の形態における緊急警報放送対応モジュールを搭載したデジタル放送受信機は、デジタル放送信号中の緊急警報放送信号が含まれている場合に、緊急警報放送対応モジュール自体で緊急警報放送信号を検知し、緊急警報放送対応モジュール自体に具備されたバッテリーによって外部機器を起動させ、かつ、緊急警報放送対応モジュール自体に具備されたメモリーに格納された緊急放送用のＡＶデータを外部機器に出力することによって緊急警報放送を報知する。
【００５３】
これにより、緊急警報放送検知の仕組み及びユーザーへの通知の仕組みがないデジタル放送受信機においても、ユーザーにタイムリーに緊急警報放送を報知することができるとともに、デジタル放送受信機の処理負担を軽減することができる。
【産業上の利用可能性】
【００５４】
本開示における緊急警報放送対応モジュールを搭載したデジタル放送受信機等によれば、緊急警報放送検知の仕組み及びユーザーへの通知の仕組みがないデジタル放送受信機においてもユーザーにタイムリーに緊急警報放送を報知することができるため、セットトップボックス等のモニタやスピーカを搭載しないデジタル放送受信機において有用である。
【符号の説明】
【００５５】
１０、２０、３０  デジタル放送受信機
１１  受信アンテナ
１２  フロントエンド部
１３、２３、３３  限定受信モジュール
１３ａ、２３ａ、３３ａ  緊急警報放送検知部
１３ｂ  音声出力部
２３ｂ、３３ｂ  バッテリー制御部
２３ｃ  バッテリー部
３３ｄ  メモリー制御部
３３ｅ  メモリー部
２４  ＴＳデコード部
２５、３５  ＡＶデコード部
２６  電源制御部
２７  外部映像出力部
２８  外部音声出力部
【図１】
2014187457.tif 000003
【図２】
2014187457.tif 000004
【図３】
2014187457.tif 000005
【図４】
2014187457.tif 000006
【図５】
2014187457.tif 000007
【図６】
2014187457.tif 000008